(57)【要約】【課題】構造が簡単で、製造コストが低い電気ウキ及び集魚効果の高い集魚灯を提供する。【解決手段】電源として電池を用い、上部部材２の上端部及び下部部材３の下端部に夫々少なくとも一つの発光素子２１，３１を配置する。発光素子２１，３１を並列に接続しており、下端部に配置する下端発光素子３１は、連続点灯及び間欠点灯の回路並びに、連続点灯及び間欠点灯に切り替えるスイッチを有し、必要に応じて、連続点灯を選択する。【選択図】図１
0003121485.tif 000002
【実用新案登録請求の範囲】
【請求項１】
電池を用いる電気ウキにおいて、
電池を光源とする複数の発光素子を、上端部及び下端部に備えることを特徴とする電気ウキ。
【請求項２】
前記複数の発光素子を並列接続してあることを特徴とする請求項１に記載の電気ウキ。
【請求項３】
上部部材及び下部部材に２分割可能にしてあり、
該上部部材及び下部部材は、電池の上部及び下部を各収容する上部電池収容部及び下部電池収容部を備えており、
上部部材及び下部部材の合体／分割により電池から発光素子への通電／遮断を行うようにしてあることを特徴とする請求項１又は２に記載の電気ウキ。
【請求項４】
前記電池は上部に一電極部及び他電極部を有し、該他電極部は下部にまで連なっており、下部電池収容部の底部に電池を上向きに付勢するバネ状端子を備え、
上部電池収容部に電池上部の一電極部及び他電極部に各接触する接点を備え、
前記上部部材及び下部部材は、合体／分割により電気的に接触／離隔するスイッチ接点部をそれぞれ有しており、
前記バネ状端子、接点及びスイッチ接点部を発光素子に接続してある
ことを特徴とする請求項３に記載の電気ウキ。
【請求項５】
前記下端部に配置する発光素子の連続点灯回路及び間欠点灯回路、並びに、両回路を切り替えるスイッチを備えることを特徴とする請求項１乃至４のいずれか一項に記載の電気ウキ。
【請求項６】
下部部材は半透明であり、下部部材内の発光素子は着色筒体内に配置してあることを特徴とする請求項１乃至５のいずれか一項に記載の電気ウキ。
【考案の詳細な説明】
【技術分野】
【０００１】
本考案は、夜釣りに使用する電気ウキに関する。
【背景技術】
【０００２】
夜釣りに用いられる電気ウキがある。該電気ウキは光源の動き及び消滅で魚のアタリを判別する魚信(アタリ)検知器である。市販されている多くのものは単一の発光素子を連続点灯するものである。ところが、このウキが遠くにある場合、ウキの動きが分かりにくいという問題があった。そこで、複数の発光素子を備えることにより光量を多くして電気ウキの動きを把握しやすくした電気ウキが提案されている(例えば、特許文献１、２参照)。
【０００３】
魚は光に反応して集まる習性がある。該習性は、魚は闇夜には臭覚のみに頼らず、眼で餌を確認してから食べるからである。このような魚の習性を利用するいわゆる集魚灯の機能を兼備する電気ウキが提案されている。例えば、釣り人の釣竿を動かす動作及び、リールを巻く動きによって電気ウキに生じる振動により発電する圧電素子を電源とする電気ウキであって、電気ウキの上端のみならず下端にも複数の発光素子を取り付けており、ウキの動きを把握しやすくした上に、集魚灯の効果が期待できる(例えば、特許文献３参照)。
【特許文献１】特開平１０−２８６０５１号公報
【特許文献２】特開平１１−１１３４６５号公報
【特許文献３】実用新案登録第３１１４４０４号公報
【考案の開示】
【考案が解決しようとする課題】
【０００４】
しかしながら、特許文献１及び２の電気ウキにあっては、複数の発光素子を備えることにより、ウキの動きを把握しやすくしたものの、前記複数の発光素子が前記電気ウキの上端部のみに集中して配置するために、光に反応して集まる魚の習性を利用した集魚灯としての役割が期待できない。
【０００５】
また、特許文献３の電気ウキにあっては、釣り人の釣竿を動かす動作又はリールを巻く動き等により生じる振動により発電した電力で、上端部及び下端部に配置した複数の発光素子を光らせるために、ウキの動きの把握が容易になる効果及び集魚灯の効果があるものの、連続点灯でなく外部からの振動を条件に間欠的に点灯するために、集魚灯としての十分な効果を得難い。また、電源として圧電素子を採用するため、電池を利用する場合に比べ、製造コストが嵩むと共に構造が複雑になるという問題があった。
【０００６】
本考案は斯かる事情に鑑みてなされたものであり、光源として電池を用い、上端部及び下端部に夫々発光素子を配置することにより、圧電素子を電源に用いる場合に比べ、構成が簡単で製造コストが低く、集魚灯の機能を併せ持つ電気ウキを提供することを目的とする。
【０００７】
また、本考案の他の目的は、前記上端部及び前記下端部に配置する複数の発光素子を並列接続することにより、例えば、電線の断線又は接続不良が原因で、前記複数の発光素子が共に消えることによって見失うことを防止し得る電気ウキを提供することを目的とする。
【０００８】
また、本考案の他の目的は、上部部材及び下部部材に２分割する構造とし、上部部材及び下部部材の合体又は分離によって、発光素子への通電又は遮断をするように構成することにより、上部部材及び下部部材の合体如何がスイッチの役割をなし、スイッチを別途に設ける必要のない簡単な構成の電気ウキを提供することにある。
【０００９】
また、本考案の他の目的は、前記下端部に配置する発光素子の連続点灯及び間欠点灯のための回路並びに、これらを切り替えるスイッチを備えることにより、必要に応じて下端部に配置する発光素子を連続点灯又は間欠点灯に切り替えることが出来る電気ウキを提供することにある。
【００１０】
本考案の更に他の目的は、美観に優れ、かつ集魚効果が大きい電気ウキを提供することにある。
【課題を解決するための手段】
【００１１】
本考案に係る電気ウキは、電池を用いる電気ウキにおいて、電池を光源とする複数の発光素子を、上端部及び下端部に備えることを特徴とする。
【００１２】
本考案にあっては、上端部及び下端部の両方で発光するが、圧電素子を電源とする場合に比べ、簡単な構成で、電気ウキ及び集魚灯としての役割を共に果たす。
【００１３】
本考案に係る電気ウキは、前記複数の発光素子を並列接続してあることを特徴とする。
【００１４】
本考案にあっては、前記発光素子を並列接続してあるので、例えば、電線の断線又は接続不良が生じても、上下いずれかの発光素子が点灯する。
【００１５】
本考案に係る電気ウキは、上部部材及び下部部材に２分割可能にしてあり、該上部部材及び下部部材は、電池の上部及び下部を各収容する上部電池収容部及び下部電池収容部を備えており、上部部材及び下部部材の合体／分割により電池から発光素子への通電／遮断を行うようにしてあることを特徴とする。
【００１６】
本考案にあっては、上部部材及び下部部材の合体の場合、発光素子へ通電され、発光素子が点灯する。一方、上部部材及び下部部材の分離の場合、発光素子への通電が遮断され、発光素子が消える。
【００１７】
本考案に係る電気ウキは、前記電池は上部に一電極部及び他電極部を有し、該他電極部は下部にまで連なっており、下部電池収容部の底部に電池を上向きに付勢するバネ状端子を備え、上部電池収容部に電池上部の一電極部及び他電極部に各接触する接点を備え、前記上部部材及び下部部材は、合体／分割により電気的に接触／離隔するスイッチ接点部をそれぞれ有しており、前記バネ状端子、接点及びスイッチ接点部を発光素子に接続してあることを特徴とする。
【００１８】
本考案にあっては、上部部材及び下部部材の合体／分割によりスイッチ接点部が電気的に接触／離隔し、これによって発光素子への通電／遮断が行われる。
【００１９】
本考案に係る電気ウキは、前記下端部に配置する発光素子の連続点灯回路及び間欠点灯回路、並びに、両回路を切り替えるスイッチを備えることを特徴とする。
【００２０】
本考案にあっては、前記スイッチを、間欠点灯回路に繋いだ場合、下端部に配置する発光素子を間欠点灯させる。又、スイッチを、連続点灯回路に繋いだ場合は、前記下端部の発光素子を連続点灯させる。
【００２１】
本考案に係る電気ウキは、下部部材は半透明であり、下部部材内の発光素子は着色筒体内に配置してあることを特徴とする。
【００２２】
本考案にあっては、半透明の下部部材から下端部の発光素子の光を外部へ効率よく出射させる。
【考案の効果】
【００２３】
本考案においては、光源として電池を利用し、上端部及び下端部に夫々に発光素子を配置するため、圧電素子を電源として用いる場合に比べ、簡単な構造及び低コストで、電気ウキ及び集魚灯としての機能を共に発揮することが出来る。
【００２４】
本考案においては、複数の発行素子を並列接続してあるため、前記複数の発光素子が電線の断線又は接触不良等により共に消えることを防止でき、消えていない発光素子の光によりウキの動き及び位置を把握できる。
【００２５】
本考案においては、前記電気ウキの本体を上部部材及び下部部材に２分割し、上部部材及び下部部材の合体又は分離が、発光素子を通電又は断電させるスイッチの役割をするように構成してあるので、発光素子を点灯／消灯するためのスイッチを別途に設置する必要がなく、構成を簡単にすることができ、製造コストを削減出来る。
【００２６】
本考案においては、前記下端部に配置する発光素子の連続点灯及び間欠点灯の二つの回路と、前記二つの回路を切り替えるスイッチとを備えているので、スイッチの操作によって釣り対象の魚に応じて連続点灯又は間欠点灯を選択することが出来る。また、間欠点灯を選択した場合は、電池の消耗を軽減させる。
【００２７】
本考案においては、下端部の発光素子からの光をより少ない減衰量で出射させることで水中の視認性が高まる。また半透明体の内部の着色部分が光り、美感が向上する。
【考案を実施するための最良の形態】
【００２８】
以下、本考案をその実施状態を示す図面に基づいて詳述する。
【００２９】
（実施の形態１）
図１は、本考案に係る実施の形態１の電気ウキの一部省略縦断面図、図２は模式的電気回路図、図３は、模式的縦断面図である。本考案に係る電気ウキの本体は、円筒状をなし、上下方向に中心より少し下側の部分が最大径であって、上下方向へ向けて縮径する形状を有し、合成樹脂を成形してなるものである。上側１／３弱の部分はほぼ同径であるのに対し、下側は下端に向けて漸次縮径している。下端部は扁平にして、釣り糸の挿通孔５を形成してある。電気ウキ本体は、下端から１／３弱の位置で、螺合により上下方向に、上部部材２及び下部部材３に２分割するように構成してある。
【００３０】
前記上部部材２の下端の外周には雄ネジを形成しており、前記下部部材３の上端内周には雌ネジを形成し、前記上部部材２及び前記下部部材３は螺合する。螺合する部分の外周の上側にはＯリング６を嵌めることにより浸水を防止する。
【００３１】
前記上部部材２の筒内上端部には上端発光素子２１を嵌着し、下部部材３の筒内下端部には下端発光素子３１を嵌着している。
【００３２】
電気ウキ本体の中には合成樹脂製の電池収容部を設けており、該電池収容部は、上部電池収容部２４及び下部電池収容部３４に２分割可能にしている。上部電池収容部２４及び下部電池収容部３４は、夫々上部部材２及び下部部材３に内設されており、電池４は、上部電池収容部２４及び下部電池収容部３４に跨るように収容される。本実施においては、円柱状であって、一方の端面上の中央にピン状の突出部を有するリチウムイオン電池を用いている。
【００３３】
電池４の一端面の前記ピン状の突出部は陰極であり、該一端面の周縁部、他端面及び周面の略円筒状の電池表面が陽極である。電池４は陰極側を上側として上部電池収容部２４及び下部電池収容部３４に跨って収容される。
【００３４】
前記上部電池収容部２４は、上部部材２の内径と外径が略等しい円筒状をなし、上部部材２の下部に内嵌しており、前記電池４の上部が挿入される。前記上部電池収容部２４の上部の中央には、電池４の陰極の先端と接触する陰極接点部１０を設けてある。下端部には、コイルバネ状の陽極接点部９を設け、電池４の陽極上端面と接触するようにしている。
【００３５】
前記上部部材２の上端部に配置された上端発光素子２１の陽極端子は、リード線２２及び陽極接点部９を介して、前記電池４の陽極と接続される。上端発光素子２１の陰極端子は、リード線２３及び陰極接点部１０を介して、前記電池４の陰極と接続される。
【００３６】
上部部材２の下端部には上部電池収容部２４の下部及び電池４の上部を囲むように、導電性リングからなるスイッチ接点部７が嵌着されている。前記リード線２３は途中で分岐してスイッチ接点部７に接続してある。
【００３７】
下部電池収容部３４は中途に隔壁を有する円筒状をなし、隔壁の上側空間に前記電池４の下部が挿入される。下部電池収容部３４の上端には下部部材３の内径と同径の鍔部３５を設けている。隔壁の下側空間には前記下端発光素子３１を嵌着している。
【００３８】
下部電池収容部３４の上側空間の底部にはコイルバネ状の端子１１を備え、前記電池４の陽極の下端面と接触するとともに、前記端子１１の付勢力によって、電池４を上方へ押圧して、電池４の上側の陰極及び陽極を上部電池収容部２４の陽極接点部９及び陰極接点部１０と接触させる。前記端子１１の下端は上側空間の底面に設けた陽極接点部９１を介して前記下端発光素子３１の陽極と接続される。
【００３９】
下端発光素子３１の陰極端子は、下部電池収容部３４の上部の鍔部３５に設けた貫通穴１２を挿通したリード線３３を介して接点端子８と接続してある。
【００４０】
前記スイッチ接点部７及び接点端子８は、上部部材２及び下部部材３が螺合して合体する場合、接触するように接点端子８の高さを設定している。従って、上部部材２及び下部部材３を螺合による合体／分離によって、前記接点端子８がスイッチ接点部７と接続／遮断され、スイッチとして機能する。一方、電池４の上側に位置する陰極及び陽極と陰極接点部１０及び陽極接点部９との間の接触／遮断も上部部材２及び下部部材３を螺合による
端子１１の圧縮／伸長により支配されるから、この部分もスイッチとして機能する。
【００４１】
図２は、本考案に係る電気回路図である。上端発光素子２１及び下端発光素子３１は、上述したような接続によって並列接続となっており、上部部材２及び下部部材３を合体することによって点灯する。ここにおいて何れかのリード線の断線または接触不良が生じた場合にも、前記上端発光素子２１及び下端発光素子３１が共に消えることが防止でき、点灯している発光素子の光によりウキの動き及び位置が見て取れる。
【００４２】
(実施の形態２)
本実施の形態２に係る電気ウキは、下端発光素子３１の間欠点灯のための駆動回路１４および該駆動回路１４と連続点灯のための回路との切替スイッチ１３を備える。
【００４３】
電池４の陽極は切替スイッチ１３の切替側端子１３ｂに接続されている。切替スイッチ１３の共通側端子１３ｃは下端発光素子３１の陽極に接続されている。駆動回路１４は電池４の陽極・陰極間に接続されて間欠的に陽極電位を出力し、これを切替スイッチ１３の切替側端子１３ａに与えている。切替スイッチ１３を切替側端子１３ａ側にする場合は、駆動回路１４が選択され、下端発光素子は間欠点灯する。切替スイッチ１３を切替側端子１３ｂ側にする場合は陽極電位が連続的に与えられる回路、つまり連続点灯の回路が選択されたことになり、下端発光素子３１は連続点灯する。
【００４４】
その他、図２に示す実施の形態１と対応する部分には同符号を付して説明を省略する。
【００４５】
上述の実施の形態１及び２においては、前記発光素子２１、３１を夫々一つにするものであったが、一つに限定するものではなく、複数の発光素子を夫々配置するものであってもよい。
【００４６】
また、上述の実施の形態１及び２においては、リチウムイオン電池を電源とする例について説明したが、電源はリチウムイオン電池に限定されるものではない。
【００４７】
また、上述の実施の形態１及び２においては、下部部材３が半透明である例について説明したが、これに限定するものではなく、着色(例えば、赤)したものであってもよい。
【図面の簡単な説明】
【００４８】
【図１】本考案に係る電気ウキの一部省略縦断面図である。
【図２】本考案に係る電気回路図である。
【図３】本考案に係る電気ウキの模式的縦断面図である。
【符号の説明】
【００４９】
２  上部部材
３  下部部材
４  電池
５  釣り糸の挿通穴
６  Ｏリング
７  スイッチ接点部
８  接点端子
９  陽極接点部
１０  陰極接点部
１１  端子
１２  貫通穴
１３  切替スイッチ
１３ａ  切替側端子
１３ｂ  切替側端子
１３ｃ  共通側端子
１４  駆動回路
２１  上端発光素子
２２  リード線
２３  リード線
２４  上部電池収容部
３１  下端発光素子
３３  リード線
３４  下部電池収容部
３５  鍔部
９１  陽極接点部
【図１】
0003121485.tif 000003
【図２】
0003121485.tif 000004
【図３】
0003121485.tif 000005